(57)【要約】【課題】スランプを小さくして混練されたコンクリートを崖や土手の法面に効率良く吹き付けることのできるローター式コンクリート吹付機を得る。【解決手段】上面より下面へ貫通させたチャンバーを配設してなるローター１を回転させながら、上方のホッパー３よりチャンバー１ａに混練されたコンクリートＰを投入して流入させ、投入口とは別（ローター１の中心に対して反対側）の位置で上方からチャンバー１ａにエアー圧をかけて流入したコンクリートを吐出させるローター式のコンクリート吹付機において、ローター１に配設されるチャンバー１ａ，１ａが、コンクリートの投入位置と吐出位置に合わせてローター１の周上二箇所に、円周に沿って長円状に長く上面から下面へ貫かれたローター式コンクリート吹付機。【選択図】図２
0003101810.tif 000002
【実用新案登録請求の範囲】
【請求項１】
上面より下面へ貫通させたチャンバーを配設してなるローターを回転させながら、上方より前記チャンバーに混練されたコンクリートを投入して流入させ、投入口とは別の位置で上方からチャンバーにエアー圧をかけて流入したコンクリートを下方へ吐出させるローター式のコンクリート吹付機において、前記チャンバーが、コンクリートの投入位置と吐出位置に合わせてローターの周上二箇所に、円周に沿って長円状に長く上面から下面へ貫ぬかれてなることを特徴とするローター式コンクリート吹付機。
【請求項２】
円周に沿って長円状に上面から下面へ貫ぬかれたチャンバーの両端とローターの中心とのなす角度が６０〜９０度の範囲内で貫ぬかれてなることを特徴とする請求項１記載のローター式コンクリート吹付機。
【請求項３】
ローターのチャンバーと符合するように長円状の穴を二箇所に穿設した円形のロータープレートが、ローターの上面と下面に位置決めされて着脱可能に付着されてなることを特徴とする請求項１又は請求項２記載のローター式コンクリート吹付機。
【考案の詳細な説明】
【技術分野】
【０００１】
本考案は、崖や土手等の法面にコンクリートを効率良く吹き付けられるように改造したローター式コンクリート吹付機に関するものである。
【背景技術】
【０００２】
崖や土手等の法面が崩土しないようにコンクリートを吹き付けて保護するにおいてコンクリート吹付機が使用されており、該コンクリート吹付機は、原材料をドライの状態でホッパー投入口に搬送し、ホッパー投入口で水を添加して投入し、撹拌部で撹拌した後に圧送タンクへ流下させ、圧縮空気で圧送タンクを加圧することにより混練されたコンクリートを吐出させ、圧送タンクに接続されたホースを介してホース先端部のノズルより噴出させて吹き付けるようになっている。
【０００３】
又、トンネル等の壁面に吹き付け、岩盤の隙間を埋めて補強するのにローター式のコンクリート吹付機が使用されており、該ローター式のコンクリート吹付機は、ミキサー等で混練されたコンクリートをホッパー投入口に投入し、ローターの周上に貫通させて等配設した多数のチャンバー（分配室）に流入させると共にローターを回転させ、前記ホッパー投入口の位置とは別の位置で圧縮空気を送り込むことにより、チャンバーに流入したコンクリートを吐出させて吹き付けるようになっている。（例えば、特許文献１の図１，図２、及び特許文献２の図１，図２参照）
【特許文献１】特開平９−２１７５９３号公報
【特許文献２】実開平５−１０６４６号公報
【考案の開示】
【考案が解決しようとする課題】
【０００４】
しかしながら、上記原材料をドライの状態で搬送し、ホッパー投入口で水を添加して撹拌部で撹拌した後に圧送タンクより吐出させて吹き付けるコンクリート吹付機は、圧送タンクの上方に撹拌部が設けられ、その上にホッパー投入口が設けられていて、ホッパー投入口までの高さが高く、機械も大型となり、例えばトラック等の移動車両に載せた状態で移動しながら吹き付けるとすれば、ホッパー投入口までの高さが益々高くなり、ホッパー投入口へ原材料を搬送するベルトコンベヤーの長さを長くするか、長さが短い場合は勾配を大きくしなければならず、ベルトコンベヤーを長くすればそれに応じた場所が必要となり、ベルトコンベヤーの勾配を大きくすれば搬送物がスリップしやすい問題点があること、及び水の添加や撹拌、圧送工程の切替え作業に伴う面倒な作業があり、作業性の向上が図れない問題点を有している。
【０００５】
又、上記ローター式のコンクリート吹付機は、ミキサー等で混練されたコンクリートを投入するため、撹拌部や圧送タンクは必要とせず、ホッパー投入口までの高さも低くでき、機械も小型となり、且つ水の添加や撹拌及び圧送タンクへの加圧に伴う面倒な作業もなくなるが、ローターの周上に貫通させて等配設された多数のチャンバー（分配室）では、スランプ（混練されたコンクリートの硬さを表す文言で、スランプが小さくなるにつれて硬くなる）の小さいコンクリート混練物はうまく流入しないことが試験の結果判明し、スランプを小さくして混練したコンクリートを崖や土手等の法面に吹き付けるコンクリート吹付機としては適用し難い問題点を有している。
【課題を解決するための手段】
【０００６】
本考案は、上記問題点に鑑みてなされたもので、ローター式コンクリート吹付機のローターを改造することで、スランプを小さくして混練されたコンクリートでも吹き付けを可能とし、崖や土手等の法面にコンクリートを効率良く吹き付けることのできるローター式コンクリート吹付機を提供する。
すなわち、その解決するための手段は、
（１）上面より下面へ貫通させたチャンバーを配設してなるローターを回転させながら、上方より前記チャンバーに混練されたコンクリートを投入して流入させ、投入口とは別の位置で上方からチャンバーにエアー圧をかけて流入したコンクリートを下方へ吐出させるローター式のコンクリート吹付機において、前記チャンバーがコンクリート投入位置と吐出位置に合わせてローターの周上二箇所に、円周に沿って長円状に長く上面から下面へ貫ぬかれてなることを特徴とするローター式コンクリート吹付機。
（２）円周に沿って長円状に上面から下面へ貫ぬかれたチャンバーの両端とローターの中心のなす角度が６０〜９０度の範囲内で貫ぬかれてなることを特徴とする前項（１）記載のローター式コンクリート吹付機。
（３）ローターのチャンバーと符合するように長円状の穴を二箇所に穿設したロータープレートが、ローターの上面と下面に位置決めされて着脱可能に付着されてなることを特徴とする前項（１）又は（２）記載のローター式コンクリート吹付機。
である。
【０００７】
そして、上記手段を講ずることによりスランプを小さくして混練されたコンクリートでも、ローターを回転させながらスムーズにローターのチャンバーに投入して流入させることができ、投入口とは別の位置でコンクリートの流入したチャンバーにエアー圧をかけることによりコンクリートを吐出させて、崖や土手等の法面に効率良く吹き付けできることが、ローターを改造して試験した結果判明した。
【０００８】
ローターの上面より下面へ貫通させて形成されたチャンバーは、ローターの周上二箇所に、円周に沿って長円状に長くして貫くことで、スランプを小さくして混練されたコンクリートがローターを回転させながらでも流入するのに充分なタイミングがとれてスムーズに流入させることが可能となる。長円状に長くして貫かれたチャンバーの両端とローターの中心とのなす角度は、おおむね６０〜９０度の範囲内で貫かれるのが好ましい。
【０００９】
又、ローターは、上面と下面にローターのチャンバーと符合させて穴を穿設したロータープレートを付着させると良い。ロータープレートを付着させることにより、ローターの上面と下面が保護されて、ロータープレート面が磨耗したり、傷ついたりするが、ロータープレートを位置決めして着脱可能に付着させておけば、取換えや面を再研磨して補修することが容易であり、ローターとは異質の材質にして、耐磨耗性が良く、摺動性の良いプレートにすればローターの上面と下面の気密性が保持されると共に、ローターの回転はスムーズになる。
【考案の効果】
【００１０】
コンクリートを流入させて吐出させるチャンバーを、コンクリートの投入位置と吐出位置に合わせてローターの周上二箇所に、円周に沿って長く長円状にして上面より下面へ貫通させて配設したことにより、スランプの小さいコンクリートでもスムーズにチャンバーへ流入させることができ、崖や土手等の法面にスランプの小さいコンクリートを吹き付けるのに適したローター式コンクリートを得るのに効果を奏する。
【００１１】
撹拌しないで混練したコンクリートを直接ローター上方のホッパーに投入するから、ホッパーの投入口までの高さも低く、且つ機もシンプルで小型にできて、作業場所を広く要することなく行えると共に、トラック等の車両での運搬並びに車両に載せたままで移動しながらコンクリートを吹き付けるのに適し、面倒な作業もなく効率良く作業が行えて、作業性の向上が図れる。
【００１２】
又、本考案に係るローター式コンクリート吹付機は、従来のローター式のコンクリート吹付機のローター部分を改造することで可能であり、不用になった従来のローター式コンクリート吹付機の再利用を図るのに効果を奏する。
【考案を実施するための最良の形態】
【００１３】
本考案を実施するための最良の形態は、上面より下面へ貫通させたチャンバーを配設してなるローターを回転させながら、上方よりチャンバーに混練されたコンクリートを投入して流入させ、投入口とは別の位置で上方からチャンバーにエアー圧をかけて流入したコンクリートを下方へ吐出させるローター式のコンクリート吹付機において、前記チャンバーをコンクリートの投入位置と吐出位置に合わせてローターの周上二箇所に、円周に沿って長く長円状に貫くことにより、スランプを小さくして混練されたコンクリートがチャンバーにスムーズに流入するようにし、崖や土手等の法面へのコンクリートの吹き付けを可能としたものである。以下実施例を示す図面に基づいて説明する。
【実施例１】
【００１４】
図１は本考案に係るローター式コンクリート吹付機の全体を示す側断面図であり、図２は混練されたコンクリートをローターのチャンバーに流入させて吐出させる状態を示す要部断面図であり、図３はローター及びロータープレートの実施例を示す斜視図である。
【００１５】
上記図１に示すように、本考案に係るローター式コンクリート吹付機は、混練されたコンクリートの投入位置と吐出位置に合わせて、ローター１の周上二箇所にチャンバー１ａ，１ａが上面から下面へ貫かれて配設され、ローター１の上面に開閉可能に被せるようにして設けられた被せ蓋２を介して上方にコンクリートを投入するためのホッパー３と、該ホッパーに投入したコンクリートをローター１のチャンバー１ａに流入させて別の位置でチャンバー１ａから下方へ吐出させるためのエアー加圧用の継手４が設けられ、コンクリートを吐出させるための配管用の継手４ａが機体５のベース板下面に設けてある。
【００１６】
前記ローター１の下面は、機体５のベース板上面に突き出た駆動軸６の上端部６ａが着脱可能に角嵌合されて、駆動軸６の回転によりローター１が回転するようにしてあり、モーター７の回転駆動を、無段変速機８を介して機体５の下方部に設けられたギャボックス９内の歯車１０に伝達し、歯車１０ａ，１０ｂ，…，１０ｇの噛み合わせにより減速されて前記駆動軸６は低速で回転すると共に、無段変速機８の変速用ハンドル８ａを回すことにより回転速度の調節ができるようにしてある。
【００１７】
上記のように構成されてなるローター式コンクリート吹付機において、混練されたコンクリートを投入し、吐出させるようにした構成を図２にて詳細に説明すると、ローター１は、上面と下面にロータープレート１Ａ，１Ｂを付着させて、被せ蓋２の下面に付着さえて設けられたジョイントプレート１１と、機体５のベース板上面に付着させて設けられたジョイントプレート１２の間に当接面がシールされるようにして前記駆動軸６により回転させるようにしてあり、駆動軸６の先端部は、機体５のベース板上面に付着されたジョイントプレート１２とにダストシール１３を介在させて上方へ突き出してある。
【００１８】
ロータープレート１Ａ，１Ｂは、ローター１に配設されたチャンバー１ａ，１ａに符合させて穴が穿設されており、ロータープレート１Ａに当接するジョイントプレート１１には流入口１１ａが穿設され、流入口１１ａに符合すべく漏斗１４を被せ蓋２に設けて、その上にホッパー３が設けられていて、ホッパー３に投入されたコンクリートＰがロータープレート１Ａ，１Ｂを付着させたローター１のチャンバー１ａ，１ａに流入するようにしてある。
【００１９】
被せ蓋２には、漏斗１４の位置とは別の位置（ローターの中心に対して反対位置）にエアー加圧用の継手４が設けてあり、継手４の先端からホース継手を介してホース１５がコンプレッサー等のエアー源（図示せず）へ接続され、供給されるエアーがジョイントプレート１１に穿設された多数の通気孔１１ｂ，…を通って、前記コンクリートの流入したチャンバー１ａが回転して通気孔１１ｂ，…の位置にきた時にチャンバー１ａにエアー圧がかかるようになっている。
【００２０】
ロータープレート１Ｂに当接するジョイントプレート１２には、吐出口１２ａが穿設されていて、前記エアー圧がかかるとチャンバー１ａ内のコンクリートは吐出され、機体５のベース板の下面に設けた配管用の継手４ａより開閉バルブ１６を介して接続されたホースへ導かれてホース先端部に取付けられたノズル（図示せず）より噴出されるようになっている。
【００２１】
又、前記被せ蓋２は、一端が軸１７で回動可能に支持されて、外周部の複数箇所（本実施例図では３箇所）に等配されたＵ字切欠部に支持ボルト１８，…を起して挿入し、間座１８ａ，…を介してナット１８ｂ，…を螺合させることにより、ロータープレート１Ａ，１Ｂが被せ蓋２の下面と、機体５のベース板上面に設けられたジョイントプレート１１，１２の間に当接面がシールされるように保持されてロータープレート１Ａ，１Ｂが付着されたローター１は、回転するようにしてあり、ナット１８ｂ，…を緩めて支持ボルト１８，…を外側へ倒すことにより、支持ボルト１８，…が被せ蓋２から外れて、被せ蓋２は開閉自在となり、被せ蓋２が開いた状態でローター１及びロータープレート１Ａ，１Ｂの着脱が可能となり、ロータープレート１Ａ，１Ｂと当接するジョイントプレート１１，１２の着脱も可能となる。
【００２２】
ロータープレート１Ａ，１Ｂとジョイントプレート１１，１２の当接面は、ジョイントプレート１１の通気孔１１ｂ，…から、コンクリートの流入したチャンバー１ａにエアー圧をかけた時にコンクリートが漏洩しないようにシールされて、ローターープレートを付着させたローター１を回転させる必要から、ジョイントプレート１１，１２は硬質性のゴムや弾力性のある合成樹脂等が使用され、ロータープレート１Ａ，１Ｂは耐摩耗性が良く、摺動性の良い合成樹脂等を使用されるのが好ましいが、当接面の摺動摩擦や摩耗を防止すべく、前記当接面の給油ポンプから間欠的に給油する手段も講じられている。
【００２３】
それでも、エアー圧をかけると、ジョイントプレート１１とローター１Ａの当接面からコンクリートが僅かに漏洩することが多く、漏洩したコンクリートは、ジョイントプレート１１から被せ蓋２へ穴を貫き、該穴より斜め方向へ継手を延出させて接続されたホースへ導いてフィールドバックさせ、ホッパーへ再投入する手段（図示せず）も講じられている。
【００２４】
又、前記ロータープレート１Ａ，１Ｂ、及びジョイントプレート１１，１２は、着脱可能に位置決めされて付着されており、当接面が傷付いたり、摩耗したりした時は、取り外して再研磨することにより当接面の気密性が高まり、摩擦抵抗も小さくなる。
【００２５】
前記、ローター１及びローター１の上面と下面に付着させるロータープレート１Ａ，１Ｂについて、図３にて説明する。ローター１は図３の（ａ）に示すようにチャンバー１ａ，１ａがローター１の周上二箇所に、円周に沿って長円状に長くして上面から下面へ貫かれており、このように長円状に長くして貫くことにより、スランプを小さくして混練されたコンクリートでも、チャンバー１ａ，１ａにうまく流入させることができた。
【００２６】
スランプを小さくして混練されたコンクリートを、前記チャンバー１ａ，１ａにうまく流入させるためには、チャンバー１ａ，１ａの両端と、ローター中心とのなす角度Ｗ，Ｗが大きいと流入するのに充分なタイミングがとれて好ましいが、チャンバー１ａ，１ａにコンクリートを流入させた時のローター１の回転バランス、エアー圧をかけた時のチャンバー１ａ，１ａの強度及び気密性を保持する観点から、おおむね６０〜９０度の範囲内で貫かれているのが好ましい。
【００２７】
又、ローター１の下部中心には、駆動軸の上端部を角嵌合させてローター１を回転させるための角穴１ｂがあけられ、該角穴１ｂは上面よりあけられた捨て穴１ｃへ貫通されており、ローター１の上面と下面にはロータープレート１Ａ，１Ｂを位置決め付着させるための位置決め用の穴１ｄ，１ｄ，…があけられている。
【００２８】
ロータープレート１Ａは、図３の（ｂ）に示すようにローター１の外径と同一径の円形プレートで二箇所に長円状の穴１ｅ，１ｅが穿設され、下面には位置決め用の穴１ｆ，…が穿設されて、該位置決め用の穴１ｆ，…と前記ローター１の上面にあけられた位置決め用の穴１ｄ，…とをピンで止めて位置決めした時に、前記長円状の穴１ｅ，１ｅとローター１のチャンバー１ａ，１ａが符合するようにして着脱可能にローター１の上面に付着させるようにしてある。
【００２９】
ロータープレート１Ｂは、図３の（ｃ）に示すようにローター１の外径と同一径の円形プレートで、二箇所に長円状の穴１ｇ，１ｇが穿設され、上面には位置決め用の穴１ｈ，…が穿設されて、該位置決め用の穴１ｈ，…と前記ローター１の下面にあけられた位置決め用の穴１ｄ，…とをピンで止めて位置決めした時に、前記長円状の穴１ｇ，１ｇとローター１のチャンバー１ａ，１ａが符合するようにして着脱可能にローター１の下面に付着させるようにしてある。
又、ロータープレート１Ｂの中心には、駆動軸の先端部を突き出してダストシールでシールするため、穴１ｉが穿設されている。
【産業上の利用可能性】
【００３０】
ローターのチャンバーの容量を決め、ローターを半転させて間欠回転させながら吐出させれば、各種混練物の定量吐出機としても利用可能である。
【図面の簡単な説明】
【００３１】
【図１】本考案に係るローター式コンクリート吹付機の側断面図である。
【図２】コンクリートを投入して吐出させる状態の要部断面図である。
【図３】ローター及びロータープレートの実施例を示す斜視図である。
【符号の説明】
【００３２】
１  ローター
１Ａ，１Ｂ  ロータープレート
１ａ  チャンバー
１ｂ  角穴
１ｃ  捨て穴
１ｄ，１ｆ，１ｈ  位置決め用の穴
１ｅ，１ｇ  長円状の穴
１ｉ  穴
２  被せ蓋
３  ホッパー
４，４ａ  継手
５  機体
６  駆動軸
６ａ  上端部
７  モーター
８  無段変速機
８ａ  変速用ハンドル
９  ギャーボックス
１０，１０ａ，１０ｂ，…１０ｇ  歯車
１１，１２  ジョイントプレート
１１ａ  流入口
１１ｂ  通気孔
１２ａ  吐出口
１３  ダストシール
１４  漏斗
１５  ホース
１６  開閉バルブ
１７  軸
１８  支持ボルト
１８ａ  間座
１８ｂ  ナット
Ｐ  コンクリート
【図１】
0003101810.tif 000003
【図２】
0003101810.tif 000004
【図３】
0003101810.tif 000005